(57)【要約】【課題】効率的に集成材を製造する。【解決手段】心材２２と燃代材４２とを積層して圧締する。これにより心材部２０と燃代層４０とが一体化された第一心材ブロックを二つ作製する。そして、第一心材ブロックに形成した嵌部にモルタルバー５０を嵌め込んで、二つの第一心材ブロックを圧締する。よって、接着回数が少なくなり、効率的に耐火集成材１０を製造することができる。【選択図】図１
2014087980.tif 000002
【特許請求の範囲】
【請求項１】
複数の木製の心材が積層されて構成された心材部の積層方向の外側に木製の燃代材で構成された燃代層が形成されるように複数の前記心材と前記燃代材とを積層し積層方向に圧締し、前記心材部と前記燃代層とが一体化された第一心材ブロックを複数作製する第一工程と、
前記第一心材ブロックの前記燃代層と前記心材部との境界部に、燃止材からなる燃止部が嵌る嵌部を形成する第二工程と、
前記嵌部に前記燃止部を嵌め込んで、複数の前記第一心材ブロックを、積層方向と交差する方向に圧締し、第二心材ブロックを作製する第三工程と、
前記第二心材ブロックの前記積層方向と交差する方向の外側に前記燃止材で構成された燃止部を接合すると共に前記燃止部の外側に前記燃代材で構成された燃代層を接着する第４工程と、
を備える集成材の製造方法。
【請求項２】
前記燃止部は、モルタル材を含む前記燃止材で形成されたモルタルバーである、
請求項１に記載の集成材の製造方法。
【請求項３】
前記心材と前記燃代材とは、板厚方向に沿った断面が同一形状の矩形状の板材である、
請求項１又は請求項２に記載の集成材の製造方法。
【発明の詳細な説明】
【技術分野】
【０００１】
本発明は、集成材の製造方法に関する。
【背景技術】
【０００２】
特許文献１には、木材又は異種材からなる単材を複数集成し、隣接する単材間を接合してなる高剛性集成材ブロックを複数集成し、隣接する高剛性集成材ブロック間を接合してなる複合木質構造材が記載されている。この先行技術には、前記隣接する高剛性集成材ブロック間に、該高剛性集成材ブロックよりも剛性の低い不陸吸収材を介装させ、該不陸吸収材を介装させた状態で隣接する高剛性集成材ブロック間を接着剤により接合し、前記不陸吸収材の全部又は一部は、高熱容量材、断熱材、又は熱慣性の大きい木材から形成される異種材からなることを特徴とする技術が開示されている。
【０００３】
ここで、複数の板材を接着して集成材を製造する場合、荷重を支持する心材部には高い圧力をかけて接着する必要がある。よって、例えば、複数の板材を高い圧力をかけて接着して心材部を作製したのち、この心材部の外側に燃止部と燃代層とを接着する。
【０００４】
しかし、このような製造方法は接着工程が多く、効率的に集成材を製造することに対して改善の余地がある。
【先行技術文献】
【特許文献】
【０００５】
【特許文献１】特許４５１６８４８号
【発明の概要】
【発明が解決しようとする課題】
【０００６】
本発明は、上記事実に鑑み、効率的に集成材を製造することができる集成材の製造方法を提供することが課題である。
【課題を解決するための手段】
【０００７】
請求項１の発明は、複数の木製の心材が積層されて構成された心材部の積層方向の外側に木製の燃代材で構成された燃代層が形成されるように複数の前記心材と前記燃代材とを積層し積層方向に圧締し、前記心材部と前記燃代層とが一体化された第一心材ブロックを複数作製する第一工程と、前記第一心材ブロックの前記燃代層と前記心材部との境界部に、燃止材からなる燃止部が嵌る嵌部を形成する第二工程と、前記嵌部に前記燃止部を嵌め込んで、複数の前記第一心材ブロックを、積層方向と交差する方向に圧締し、第二心材ブロックを作製する第三工程と、前記第二心材ブロックの前記積層方向と交差する方向の外側に前記燃止材で構成された燃止部を接合すると共に前記燃止部の外側に前記燃代材で構成された燃代層を接着する第４工程と、を備える。
【０００８】
請求項１に記載の発明では、まず、複数の心材と燃代材とを積層し積層方向に圧締し、心材部と燃代層とが一体化された第一心材ブロックを複数作製する。つぎに、第一心材ブロックに形成した嵌部に燃止部を嵌め込んで、複数の第一心材ブロックを積層方向と交差する方向に圧締し、第二心材ブロックを作製する。そして、第二心材ブロックの積層方向と交差する方向の外側に燃止材で構成された燃止部を接合すると共に燃止部の外側に燃代材で構成された燃代層を接着する。
【０００９】
よって、例えば、心材を圧締して形成した心材部に、燃止部と燃代層とを接着する場合と比較し、接着回数が少なくなり、効率的に集成材を製造するこができる。
【００１０】
また、心材と燃止部と燃代材とを積層し、積層方向に圧締する場合と比較し、燃止部に圧締時の圧力がかかることなく、第二心材ブロックを作製することができる。よって、燃止部を構成する燃止材の材料によることなく、圧締する際の圧力を高くすることができる。
【００１１】
請求項２の発明は、前記燃止部は、モルタル材を含む前記燃止材で形成されたモルタルバーである。
【００１２】
請求項２に記載の発明では、モルタルバーを燃止部に用いることで、高い燃止まり効果が発揮される。
【００１３】
請求項３の発明は、前記心材と前記燃代材とは、板厚方向に沿った断面が同一形状の矩形状の板材である。
【００１４】
請求項３に記載の発明では、心材と燃代材とは板厚方向の断面が同一形状の矩形状の板材であるので、断面形状が異なる板材で構成する場合と比較し、効率的に集成材を製造することができる。
【発明の効果】
【００１５】
本発明によれば、効率的に集成材を製造することができる。
【図面の簡単な説明】
【００１６】
【図１】本発明が適用されて製作された耐火集成材を示す一部切欠き断面を含む斜視図である。
【図２】（Ａ）は図１に示す耐火集成材の長手方向と直交する断面図であり、（Ｂ）は耐火集成材が心材部、燃止層、燃代層の三層構造であることを判りやすく説明するための模式図である。
【図３−１】本発明の一実施形態にかかる製造方法の（Ａ）〜（Ｃ）を示す工程図である。
【図３−２】本発明の一実施形態にかかる製造方法の（Ｄ）〜（Ｆ）を示す工程図である。
【図４−１】比較例の製造方法の（Ａ）〜（Ｃ）を示す工程図である。
【図４−２】比較例の製造方法の（Ｄ）〜（Ｆ）を示す工程図である。
【図５】本発明の他の実施形態の耐火集成材を示す図２（Ａ）に対応する断面図である。
【図６】他の例の燃止層を説明する部分拡大断面図である。
【発明を実施するための形態】
【００１７】
＜耐火集成材の構造＞
まず、本発明の集成材の製造方法によって作成された耐火集成材の構造について説明する。
【００１８】
図１に示すように、本実施形態の耐火集成材１０は、長手方向と直交する断面が矩形状の四角柱状の木材である。なお、耐火集成材１０の長手方向をＺ方向とし、断面における直交する２方向をＸ方向及びＹ方向とする。
【００１９】
図１及び図２に示すように（特に図１（Ｂ）を参照）、本実施形態の耐火集成材１０は、荷重を支持する荷重支持層としての心材部２０と、燃止部材の一例としてのモルタルバー５０が埋設された燃止層（もえどまりそう）３０と、燃代層（もえしろそう）４０と、の３層で構成されている。心材部２０は耐火集成材１０の中心部分に設けられている。燃止層３０は心材部２０の外側に心材部２０を取り囲むように設けられ、燃代層４０は燃止層３０の外側に燃止層３０を取り囲むように設けられている。
【００２０】
そして、耐火集成材１０は、火災時には外側の燃代層４０が燃焼し炭化して炭化層となることで断熱効果を発揮すると共に、燃止層３０を構成するモルタルバー５０が熱を吸収しながら燃焼を停止させることで、中心部にある荷重を支持する心材部２０を火災から保護する。
【００２１】
なお、本耐火集成材１０は、公的な性能評価機関で耐火性能試験を実施し、建築基準法で規定される１時間及び２時間、３時間の耐火性能をもつ構造部材（柱や梁等）として使用可能な木材である。
【００２２】
＜耐火集成材の製造方法＞
つぎに、本発明の一実施形態にかかる集成材の製造方法について説明する。
【００２３】
まず、図３（Ａ）に示すように、心材部２０（図１及び図２参照）を構成する板状の心材２２とＹ方向外側の燃代層４０（図１及び図２参照）を構成する板状の燃代材４２とをＹ方向に積層し、Ｙ方向（積層方向）に圧締する（接着剤を塗布した被着材に圧力を加えて密着させ、接着剤が充分硬化するのをまって接着を完了する操作）。なお、燃代材４２がＹ方向の両外側を構成するように積層する。これにより心材部２０（図１及び図２参照）と燃代層４０（図１及び図２参照）とが一体化された第一心材ブロック２５が二つ作製される。なお、正確には、第一心材ブロック２５には燃止層３０（図１及び図２参照）も含まれる。
【００２４】
また、Ｘ方向外側の燃代層４０（図１及び図２参照）を構成する板状の燃代材４４をＹ方向に積層し、Ｙ方向（積層方向）に圧締する。これにより燃代ブロック４５が二つ作製される。
【００２５】
心材２２及び燃代材４２、４４は、断面が矩形状の単材である。なお、心材２２と燃代材４２とは、板厚方向に沿った断面が同一形状の矩形状の単材である。
【００２６】
図３（Ｂ）に示すように、各第一心材ブロック２５の心材部２０と燃代層４０（図１及び図２参照）との境界部に、モルタルからなる板状のモルタルバー５０（図１及び図２参照）が嵌る溝状に凹んだ嵌部４３，４６を形成する。
【００２７】
図３（Ｃ）に示すように、嵌部４３にモルタルバー５０を嵌め込んで、図３（Ｄ）に示すように、二つの第一心材ブロック２５を、Ｘ方向に圧締する。これにより第二心材ブロック２７が作製される。
【００２８】
図３（Ｅ）に示すように、第二心材ブロック２７の嵌部４６にモルタルバー５０を嵌め込むと共に、積層方向と直交するＸ方向の外側にモルタルバー５０を配置する。なお、モルタルバー５０は、ビス１２にて仮固定する。
【００２９】
そして、図３（Ｆ）に示すように、モルタルバー５０の間及び外側に、燃止層３０（図１及び図２参照）を構成する板材（ラミナ）３２を配置してビス１２にて仮固定し、第二心材ブロック２７のＸ方向外側に燃代ブロック４５を接着する。これにより耐火集成材１０が完成する。なお、仮固定に使用したビス１２は、各図において適宜図示を省略している。また、板材（ラミナ）３２を仮固定しなくてもよい。
【００３０】
なお、各接着工程で用いる接着剤としては、耐火性能の高い接着剤、例えばレゾルシノール・フェノール樹脂接着剤を用いることが望ましい。
【００３１】
ここで、本実施形態では、図３（Ｂ）等に示すように、第一心材ブロック２５の心材部２０と燃代層４０（図１及び図２参照）との境界部に、嵌部４３，４６を形成しモルタルバー５０（図１及び図２参照）を嵌め込んで、燃止層３０を構成した。
【００３２】
なお、本実施形態では、図２に示すように、燃止層３０におけるモルタルバー５０以外の部位は燃代材４２で構成されている。
【００３３】
また、本実施形態では、図２に示すように、積層された燃代材４２を跨ぐように嵌部４６が形成されている。しかし、図６に示すように、燃代材４２を跨がないで嵌部４６を形成し、モルタルバー５０が嵌め込まれていてもよい。
【００３４】
［構成材料］
心材２２、燃代材４２、４４、及び板材３２は、米松、唐松、檜、杉、あすなろ等の一般の木造建築に用いられる一般木材を含む各種木材によって形成されていればよい。なお、心材２２、燃代材４２、４４、及び板材３２は、同一種類の木材であってもよいし、別の種類の木材であってもよい。
【００３５】
また、燃止層３０を構成する燃止部（本実施形態ではモルタルバー５０）は、火炎及び熱の進入を抑えて燃え止まり効果を発揮できる材料（本実施形態ではモルタル）で構成されていればよい。例えば、難燃性を有する材料や熱の吸収が可能な材料であればよい。
【００３６】
難燃性を有する材料としては、木材に難燃薬剤を注入して不燃化処理した難燃薬剤注入剤が挙げられる。また、熱の吸収が可能な材料は、一般木材よりも熱容量が大きな材料、一般木材よりも断熱性が高い材料、又は一般木材よりも熱慣性が高い材料が挙げられる。
【００３７】
一般木材よりも熱容量が大きな材料としては、モルタル（本実施形態）、石材、ガラス、繊維補強セメント、石膏等の無機質材料、各種の金属材料などが挙げられる。また、一般木材よりも断熱性が高い材料としては、珪酸カルシウム板、ロックウール、グラスウールなどが挙げられる。また、一般木材よりも熱慣性が高い材料としては、セランガンバツ、ジャラ、ボンゴシ等の木材が挙げられる。
【００３８】
＜作用及び効果＞
つぎに、本実施形態の作用及び効果について説明する。
【００３９】
図３を用いて説明したように、本実施形態では、接着回数は、図３（Ａ）、図３（Ｄ）、図３（Ｆ）の３回である。よって、接着回数が少なく、製造時間を短縮することができると共に、製造コストを削減することできる。つまり、効率的に耐火集成材１０を製造することができる。
【００４０】
また、モルタルバー５０を用いることで、高い燃止まり効果が発揮される。
【００４１】
また、心材２２と燃代材４２とは、板厚方向の断面が同一形状の矩形状の単材（板材）であるので、断面形状が異なる板材で構成する場合と比較し、効率的に耐火集成材１０を製造することができる。
【００４２】
［比較例］
ここで、本発明が適用されていない比較例の耐火集成材１００（図４（Ｄ）参照）の製造方法について説明する。
【００４３】
図４（Ａ）に示すように、心材部２０(図４（Ｄ）を参照）を構成する板状の心材２２をＹ方向に積層し、Ｙ方向に圧締する。これにより一次心材ブロック１２５が二つ作成される。
【００４４】
Ｙ方向外側の燃代層４０(図４（Ｄ）を参照）を構成する板状の燃代材１４２をＸ方向に積層し、Ｘ方向に圧締する。これにより、燃代ブロック１４０が二つ作成される。また、Ｘ方向外側の燃代層４０(図４（Ｄ）を参照）を構成する板状の燃代材４４をＹ方向に積層し、Ｙ方向（積層方向）に圧締する。これにより燃代ブロック４５が二つ作製される。
【００４５】
図４（Ｂ）に示すように、二つの一次心材ブロック１２５をＸ方向に接着し、二次心材ブロック１２７を作成する。
【００４６】
図４（Ｃ）に示すように、二次心材ブロック１２７のＹ方向の両外側にモルタルバー５０を配置してビス１２で仮固定する。
【００４７】
そして、図４（Ｃ）及び図４（Ｄ）に示すように、モルタルバー５０の間に板材（ラミナ）３２を配置してビス１２で仮固定し、二次心材ブロック１２７のＹ方向外側に燃代ブロック１４０を接着する。
【００４８】
同様に、図４（Ｅ）に示すように、二次心材ブロック１２７のＸ方向の両外側にモルタルバー５０を配置してビス１２で仮固定する。
【００４９】
そして、図４（Ｅ）及び図４（Ｆ）に示すように、モルタルバー５０の間及び外側に、板材（ラミナ）３２を配置しビス１２で仮固定し、二次心材ブロック１２７のＸ方向外側に燃代ブロック４５を接着する。
【００５０】
これにより心材部２０とモルタルバー５０が埋設された燃止層３０と燃代層４０との３層で構成されている比較例の耐火集成材１００が完成する。
【００５１】
［本実施形態の製造方法と比較例の製造方法との比較］
つぎに、本実施形態の製造方法と比較例の製造方法とを比較する。
【００５２】
比較例の製造方法では、図４（Ａ）、図４（Ｂ）、図４（Ｄ）、及び図４（Ｆ）の合計４回の接着工程が発生する。
【００５３】
これに対して本実施形態の製造方法では、図３（Ａ）、図３（Ｄ）、図３（Ｆ）の合計３回の接着工程ですむ。
【００５４】
このように図３を用いて説明した本実施形態の製造方法は、図４を用いて説明した比較例の製造方法よりも、接着工程が１回少なくなり、この結果、製造時間を短縮することができると共に製造コストを削減することできる。
【００５５】
＜その他＞
尚、本発明は、上記実施形態に限定されない。
【００５６】
例えば、本実施形態では、図１〜図３に示すように板状のモルタルバー５０が嵌る溝状に凹んだ嵌部４３，４６を形成したが、これに限定されない。例えば、嵌部は、モルタルバー５０が挿入される孔であってもよい。
【００５７】
また、嵌部に燃止材（例えば、固化する前のモルタル、繊維補強セメント、石膏等）を注入して固化させることで、嵌部に燃止部が嵌った構成としてもよい。
【００５８】
また、例えば、図３（Ｅ）及び図３（Ｆ）に示すように、モルタルバー５０の間及び外側に、燃止層３０（図１及び図２参照）を構成する板材（ラミナ）３２を配置したが、これに限定されない。燃代ブロック４５を幅厚に作成し、モルタルバー５０が嵌る溝状の嵌部（凹部）を形成し、板材３２が不要な構成としてもよい。
【００５９】
また、例えば、図５に示すように、三つの第一心材ブロック９５を接着して第二心材ブロック９７を作成する構成の耐火集成材９０であってもよい。
【００６０】
更に本発明の要旨を逸脱しない範囲において種々なる態様で実施し得ることは言うまでもない
【符号の説明】
【００６１】
１０      耐火集成材（集成材の一例）
２０      心材部
２２      心材
２５      第一心材ブロック
２７      第二心材ブロック
４０      燃代層
４２      燃代材
４３      嵌部
４４      燃代材
４６      嵌部
５０      モルタルバー（燃止部の一例）
９０      耐火集成材（集成材の一例）
９１      心材部
９５      第一心材ブロック
９７      第二心材ブロック
【図１】
2014087980.tif 000003
【図３−１】
2014087980.tif 000004
【図３−２】
2014087980.tif 000005
【図４−１】
2014087980.tif 000006
【図４−２】
2014087980.tif 000007
【図６】
2014087980.tif 000008
【図２】
2014087980.tif 000009
【図５】
2014087980.tif 000010